(57)【要約】【課題】  意匠面に傷がついた場合の対応が容易な壁パネルを提供する。【解決手段】  意匠板２０の裏面外周部に板枠状の意匠側リブ２３を形成し、意匠板２０に向かい合うベース板３０の外周部に板枠状のベース側リブ３３を形成する。そして、この両方のリブ２３，３３を嵌め合わせて意匠板２０とベース板３０とを一体的に接合して壁パネル１０を形成した。施工現場においては、意匠面２１に傷がついた場合、ベース板３０のみで浴室を組立て、あとから新しい意匠板２０を取り付けるようにすることで施工工期遅延を防止できる。【選択図】  図２
2007262694.tif 000002
【特許請求の範囲】
【請求項１】
室内側に臨ませる意匠板と、その意匠板に向かい合わせて設けられるベース板とを備えた壁パネルにおいて、
上記意匠板は、上記ベース板に向かい合う側の面に、意匠板面に直交する方向に突出した意匠側リブを備え、
上記ベース板は、上記意匠板に向かい合う側の面に、ベース板面に直交する方向に突出したベース側リブを備え、
上記意匠側リブと上記ベース側リブとを嵌め合わせて、上記意匠板と上記ベース板とを接合したことを特徴とする壁パネル。
【請求項２】
上記意匠側リブは、意匠板面に直交する方向に突出し上記意匠板の略外周に沿って板枠状に形成され、
上記ベース側リブは、ベース板面に直交する方向に突出し上記ベース板の略外周に沿って板枠状に形成されることを特徴とする請求項１記載の壁パネル。
【請求項３】
上記意匠側リブは、意匠板面に直交する方向に突出し上記意匠板の略外周に沿って板枠状に形成され、
上記ベース側リブは、ベース板面に直交する方向に突出し上記ベース板の略外周に沿って形成される板枠状リブと、上記板枠状リブで囲まれる領域内を格子状に分割する分割リブとを備え、
上記ベース側リブに、その格子状に分割された領域ごとに上記複数の意匠板の意匠側リブをそれぞれ嵌め合わせて、上記１枚のベース板に上記複数の意匠板を接合したことを特徴とする請求項１記載の壁パネル。
【請求項４】
上記意匠側リブと上記ベース側リブとには、その嵌め合わせ面に、互いに係合する係合部が形成されることを特徴とする請求項１ないし請求項３の何れかに記載の壁パネル。
【請求項５】
上記ベース板は、設置高さを調整する調整手段を上記ベース側リブに備えたことを特徴とする請求項２ないし請求項４の何れかに記載の壁パネル。
【請求項６】
上記意匠側リブおよび上記ベース側リブには、任意の位置に切り欠きが形成されていることを特徴とする請求項２ないし請求項５の何れかに記載の壁パネル。
【発明の詳細な説明】
【技術分野】
【０００１】
本発明は、例えば、浴室などの壁面を構築する意匠用パネルとして用いられる壁パネルに関する。
【背景技術】
【０００２】
従来から、浴室に用いられる壁パネルとしては、例えば、特許文献１に示されるように、意匠鋼板と補強鋼板とを向かい合わせ、その間に硬質裏貼材および保温材を介装し、それらを接着剤で貼り合わせることにより１枚のパネルとして一体形成した所謂サンドイッチ構造のものや、意匠鋼板の裏面に石膏ボードを貼り付けて断熱性を付与した構造のものなどが知られている。
【特許文献１】特開２００１−２０７５８６号公報
【０００３】
こうした浴室に設けられる壁パネルにとって、浴室にのぞむ意匠面は外観上において非常に重要である。しかし、従来の壁パネルは、意匠板に補強板、保温材等を接着剤により貼り合わせて一体とした単品部品であるため、意匠面に傷がついた場合には、壁パネル全体の交換が必要となる。
このため、生産ラインで意匠面に傷がついた場合には、壁パネルそのものが廃棄処分となり、廃棄物の増加にともなう廃却費用の負担が大きくなっていた。
また、施工現場においては、壁パネルごとそっくり取り替える必要があり、新しい商品（壁パネル）を入手するまで浴室の組み立て施工を行うことができない。これに伴って、それに付随する他の作業工程等においても遅れが生じてしまう。従って、施工業者、建築業者、パネルメーカにとって大きな負担となっていた。
【発明の開示】
【０００４】
本発明の目的は、上記問題に対処するためになされたもので、意匠面に傷がついた場合の対応が容易な壁パネルを提供することにある。
【０００５】
上記目的を達成するために、本発明の特徴は、室内側に臨ませる意匠板と、その意匠板に向かい合わせて設けられるベース板とを備えた壁パネルにおいて、上記意匠板は上記ベース板に向かい合う側の面に意匠板面に直交する方向に突出した意匠側リブを備え、上記ベース板は上記意匠板に向かい合う側の面にベース板面に直交する方向に突出したベース側リブを備え、上記意匠側リブと上記ベース側リブとを嵌め合わせて上記意匠板と上記ベース板とを接合したことにある。
【０００６】
上記のように構成した本発明によれば、意匠板とベース板とを、両者に形成した板枠状の意匠側リブとベース側リブとを嵌め合わせることにより、接着剤で接着することなく壁パネルを一体的に形成できるため、意匠面に傷がついた場合でも、意匠板のみを交換することで対応することができる。つまり、意匠板とベース板とを別部品として取り扱うことができるため、意匠面に傷がついても、壁パネルをそっくり交換する必要はなく、意匠板のみの交換で足りる。
【０００７】
例えば、施工現場において、意匠面に傷をつけてしまった場合、新しい意匠板の入手を待つ必要はなく、ベース板で部屋の組立てを継続することができる。そして、新しい意匠板を入手後にベース板に嵌め込む事で壁を完成させることができる。従って、他の施工工程を遅延させてしまうこともない。
また、組立て状態において意匠板のみを交換することができるため、将来的な内装変更等にも簡単に対応することができる。
更に、意匠板とベース板との間に形成される空間を有効利用することが可能となる。例えば、保温材を設けたりすることもできる。
【０００８】
また、生産ラインにおいては、意匠面に傷がついても、その意匠板のみを廃棄すればよく、廃却費用の負担が低減される。
更に、多種類必要とされる意匠板に対してベース板を共通化することができるため、生産効率の向上を図ることができる。
【０００９】
また、本発明の他の特徴は、上記意匠側リブは意匠板面に直交する方向に突出し上記意匠板の略外周に沿って板枠状に形成され、上記ベース側リブはベース板面に直交する方向に突出し上記ベース板の略外周に沿って板枠状に形成されることにある。
【００１０】
この発明によれば、意匠板とベース板とをその外周部における板枠状リブの嵌め合わせにより、つまり、一方の板枠状リブ内周面と他方の板枠状リブ外周面とが密着することにより壁パネルを一体的に形成するため、十分な嵌め合わせ面を確保できて良好な接合状態を維持できるとともに、壁パネル自身における強度を適切にすることができる。
【００１１】
また、本発明の他の特徴は、上記意匠側リブは意匠板面に直交する方向に突出し上記意匠板の略外周に沿って板枠状に形成され、上記ベース側リブはベース板面に直交する方向に突出し上記ベース板の略外周に沿って形成される板枠状リブと上記板枠状リブで囲まれる領域内を格子状に分割する分割リブとを備え、上記ベース側リブにその格子状に分割された領域ごとに上記複数の意匠板の意匠側リブをそれぞれ嵌め合わせて上記１枚のベース板に上記複数の意匠板を接合したことにある。
【００１２】
この発明によれば、１枚の壁パネルとして複数分割された意匠板を備えているため、意匠面に傷がついた場合には、その傷のついた意匠板のみを取り替えて残りの意匠板をそのまま使用することができる。つまり、取り替え対象となる意匠面を減らすことが可能となる。この結果、材料費、廃却費用等のコストメリットが得られる。
【００１３】
本発明の他の特徴は、上記意匠側リブと上記ベース側リブとには、その嵌め合わせ面に、互いに係合する係合部が形成されることにある。
この発明によれば、意匠板とベース板との接合を確実に行うことができる。
【００１４】
本発明の他の特徴は、上記ベース板は、設置高さを調整する調整手段を上記ベース側リブに備えたことにある。
本発明においては、意匠板とベース板との間に空間が形成され、さらに、ベース板を床等に設置する設置部にリブが形成されているため、それらを利用して設置高さを調整する調整手段を設けることができる。そして、この調整手段により、ベース板の高さ、左右の傾きを調整することが可能となり、壁パネルを現場に適合した状態に設置することが容易となる。
例えば、ベース板の床設置部に形成されるリブに、ベース板面形成方向に沿って進退するネジを設け、このネジの位置調整によりベース板の高さ調整をすることができる。
【００１５】
本発明の他の特徴は、上記意匠側リブおよび上記ベース側リブには、任意の位置に切り欠きが形成されていることにある。
これによれば、意匠板とベース板との間に形成される空間を有効利用して、パイプ類（例えば、給水配管、給湯配管、ガス配管、電気配管等）やケーブル類を２板間に沿って配設することができる。このため、部屋の設計自由度が広がる。
【発明を実施するための最良の形態】
【００１６】
以下、本発明の一実施形態に係る壁パネルについて図面を用いて説明する。
図１〜図５は、第１実施形態としての浴室用の壁パネルを表し、図１は、壁パネルの全体斜視図、図２は壁パネルの分解斜視図、図３〜図５は壁パネルの横断面図を表す。
【００１７】
この壁パネル１０は、意匠板２０とベース板３０とを嵌め合わせて接着剤を用いることなく一体的に形成したものである。
本実施形態においては、例えば、意匠板２０の材料としてポリエチレンテルフタレートを、ベース板３０の材料として発泡ポリスチレンを用いる。
意匠板２０は、浴室側に臨む板であり、その表面が意匠面２１（化粧面）となる。この意匠板２０の裏面２２には、その板面に直交する方向に突出した板状のリブ２３が形成される。このリブ２３は、意匠板２０の外周縁から所定距離だけ内側位置で、外周ラインと平行に板枠状に形成されるもので、意匠板２０の上縁に沿って形成される上側リブ２３ａと、左縁に沿って形成される左側リブ２３ｂと、右縁に沿って形成される右側リブ２３ｃと、下縁に沿って形成される下側リブ２３ｄとから構成される。
このリブ２３は、本発明の意匠側リブに相当するもので、以下、本実施形態においても意匠側リブ２３と呼ぶ。
この意匠側リブ２３は、意匠板２０に一体形成されるが、別体にて形成し接着剤等で意匠板２０に接合したものであってもよい。
意匠板２０には、湯水混合栓Ｖ（図４参照）を取り付けるための２つの開口２４ａ，２４ｂが形成される。また、左側リブ２３ｂには、湯水混合栓Ｖに接続される給湯管Ｐ１、給水管Ｐ２を壁外に引き出す切り欠き２５が形成される。
【００１８】
ベース板３０は、意匠板２０の裏面２２に向かい合って設けられ、浴室壁としての躯体強度を保つためのものである。
このベース板３０は、その表面３１（ここでは意匠板２０と向かい合う面を表面とする）に、板面に直交する方向に突出した板状のリブ３３が形成される。このリブ３３は、ベース板３０の外周縁に沿って板枠状に形成されるもので、ベース板３０の上縁に沿って形成される上側リブ３３ａと、左縁に沿って形成される左側リブ３３ｂと、右縁に沿って形成される右側リブ３３ｃと下縁に沿って形成される下側リブ３３ｄとから構成される。
このリブ３３は、本発明のベース側リブに相当するもので、以下、本実施形態においてもベース側リブ３３と呼ぶ。
このベース側リブ３３は、ベース板３０に一体形成されるが、別体にて形成し接着剤等でベース板３０に接合したものであってもよい。
このベース板３０の左側リブ３３ｂには、湯水混合栓Ｖに接続される給湯管Ｐ１、給水管Ｐ２を壁外に引き出すための切り欠き３５が形成される。
【００１９】
意匠板２０の意匠側リブ２３とベース板３０のベース側リブ３３とは、互いに嵌り合うように形成される。本実施形態においては、意匠板２０をベース板３０に向かい合わせて押し込んだときに、ベース側リブ３３の内側に意匠側リブ２３が嵌り込むように、つまり、意匠側リブ２３の板枠外周面２３ｏｕｔがベース側リブ３３の板枠内周面３３ｉｎと密着するように寸法設定される。また、意匠側リブ２３の意匠板裏面２２からの突出長と、ベース側リブ３３のベース板表面３１からの突出長とは同じ寸法に設定される。
従って、壁パネル１０は、意匠板２０をベース板３０に向かい合わせて意匠側リブ２３がベース側リブ３３の内側にくるように整合し、そのまま意匠板２０をベース板３０に押し込むことで両板は一体的に接合され、がたつかない。
【００２０】
また、複数の壁パネル１０を並べて浴室を組み立てる場合には、図５に示すように、２枚のベース板３０のベース側リブ３３の間に止水部材Ｓを挟み込み、ベース板３０の裏面３２から２つのベース側リブ３３にまたがって接続用金具Ｊを打ち込んで連結する。このとき、止水部材Ｓを介装することによりベース板３０間の隙間が大きくなっても、その隙間を意匠板２０の外周部で表側から覆うことができるため、目地を小さくすることができ見栄えが良い。また、目地を埋めるコーキングＣのエリアも狭くすることができ清掃性も向上する。
尚、この場合、ベース板３０の外形サイズに対して意匠板２０の外形サイズを大きくして、前面視においてベース板３０の外周部から意匠板２０の外周部がわずかに外側にはみ出るようにする。
【００２１】
また、壁パネル１０は、意匠板２０とベース板３０との間に空間Ａが形成されるため、図４に示すように、この空間Ａを利用して給湯管Ｐ１、給水管Ｐ２を配設することができる。この例では、意匠板２０に形成した２つの開口２４ａ，２４ｂに湯水混合栓Ｖの入水口、入湯口を挿通して、湯水混合栓Ｖ本体を意匠板２０に固定するとともに、給湯管Ｐ１および給水管Ｐ２を板面方向に沿って配設して意匠側リブ２３およびベース側リブ３３に形成した切り欠き２５，３５から外部に引き出すようにしている。
従来の壁パネルでは、一体部品として形成されるため、このように壁内に配管を配設することができなかったが、本実施形態の壁パネル１０では、意匠板２０とベース板３０との間に空間Ａが形成され、しかも意匠板２０がベース板３０に対して別体に設けられることから、意匠板２０をベース板３０に嵌め込む前に、意匠板２０に湯水混合栓Ｖや給湯管Ｐ１、給水管Ｐ２を取り付けておくことで、壁パネル１０内に配管することが可能となった。このため、浴室設計の自由度が広がるとともに、施工性も向上する。
【００２２】
また、意匠板２０とベース板３０との間に形成される空間Ａは、保温材等を充填するエリアとして使用する事も可能であり、また、ガス配管や電気配管を配設することもできる。
【００２３】
このように構成された壁パネル１０において、意匠板２０に傷がついた場合には、意匠板２０をベース板３０から引き外して取り替えればよい。この場合、傷ついた意匠板２０は、使い物にならないため、意匠板２０に孔を開けて開口部を引っ張ったり、ネジ等をねじ込んでネジごと引っ張るようにすれば簡単に取り外すことができる。そして、新しい意匠板２０を既設のベース板３０に嵌め込めば修復完了する。
【００２４】
以上説明した本実施形態の浴室用の壁パネル１０によれば、意匠面２１に傷がついた場合でも、意匠板２０のみを交換することで対応することができる。
例えば、施工現場において、意匠面２１に傷をつけてしまった場合でも、ベース板３０で浴室の組立てを継続することができるため、他の施工工程を遅延させてしまうことがない。
また、将来、内装変更が必要となった場合においても、既存のベース板３０をそのまま流用し、意匠板２０のみを交換することができるため、施工性、経済性に優れる。
【００２５】
また、生産ラインにおいては、意匠面２１に傷がついても、その意匠板２０のみを廃棄すればよく、廃却費用の負担が低減される。
更に、多種類必要とされる意匠板２０に対してベース板３０を共通化することができるため、専用ライン化が可能となり、生産効率の向上を図ることができる。
【００２６】
また、意匠板２０とベース板３０との間に給湯管Ｐ１、給水管Ｐ２を配設することができるため、浴室設計の自由度が広がるとともに、施工性も向上する。また、壁内空間Ａを有効に利用して、保温材等を設けたりすることもできる。
更に、壁パネル１０間の目地を小さくすることができ、美観の向上と清掃性の向上とを図ることができる。
また、意匠板２０とベース板３０とをその外周部における板枠状のリブ２３，３３の嵌め合わせにより壁パネル１０を一体的に形成するため、十分な嵌め合わせ面を確保できて良好な接合状態を維持できるとともに、壁パネル１０自身における強度を適切にすることができる。
【００２７】
次に、第２実施形態としての浴室用の壁パネルについて説明する。図６、図７は、第２実施形態としての浴室用の壁パネル４０の分解斜視図、横断面図を表す。
図示するように、この第２実施形態の壁パネル４０は、意匠板５０とベース板６０とを嵌め合わせて一体的に形成されるもので、第１実施形態の壁パネル１０とは、リブの形成位置が異なるのみで他の構成は同一である。
つまり、第２実施形態においては、意匠板５０は、その外周縁に板枠状の意匠側リブ５３が形成され、ベース板６０は、その外周縁から所定距離だけ内側位置に板枠状のベース側リブ６３が形成される。そして、壁パネル４０は、このベース側リブ６３の外側に意匠側リブ５３を嵌め込むことにより一体的に接合される。
従って、この第２実施形態の壁パネル４０においても、第１実施形態の壁パネル１０と同様の作用効果を奏する。
【００２８】
次に、第３実施形態の浴室用の壁パネルについて説明する。図８は、第３実施形態の浴室用の壁パネルの分解斜視図である。
図示するように、この第３実施形態の壁パネル７０は、１枚のベース板９０に対して、４枚の意匠板８０を嵌め合わせたものである。
各意匠板８０は、ベース板９０に対して縦・横半分のサイズの板面を有し、第１実施形態のものと同様に、その外周縁から所定距離だけ内側位置に板枠状の意匠側リブ８３が形成される。
ベース板９０は、その外周縁に沿って形成される板枠状リブ９３ａと、板枠状リブ９３ａで囲まれる領域を４分割する格子状リブ９３ｂとからならベース側リブ９３を備える。板枠状リブ９３ａの左側下部には、第１実施形態と同様の配管引き出し用の切り欠き９５が形成される。
【００２９】
壁パネル７０は、格子状リブ９３ｂにより４分割された領域を囲むベース側リブ９３の内側に、それぞれ意匠板８０の意匠側リブ８３を嵌め込んで一体的に形成される。この例では、左下の意匠板８０として、湯水混合栓Ｖの取り付け開口８４ａ，８４ｂおよび配管引き出し用の切り欠き８５が形成されたものを使用している。
この場合、意匠板８０は全て同じ意匠のものを使用する必要はなく、異なった意匠面を有するものを組み合わせて使用してもよい。
この第３実施形態によれば、第１実施形態における作用効果に加え、１枚の壁パネル７０として複数分割された意匠板８０を備えているため、意匠面に傷がついた場合には、その傷のついた意匠板８０のみを取り替えて残りの意匠板８０をそのまま使用することができる。つまり、取り替え対象となる意匠面を減らすことが可能となる。この結果、材料費、廃却費用等のコストメリットが得られる。
尚、この実施形態においても、意匠側リブ８３とベース側リブ９３との嵌め合わせを逆にしてもよい。
【００３０】
次に、上記各実施形態における変形例について説明する。
上述した各実施形態において、意匠板とベース板との接合を確実にしたい場合には、図９に示すように、意匠板１００に形成した意匠側リブ１０３とベース板１１０に形成したベース側リブ１１３との当接面１０３ｏｕｔ、１１３ｉｎに係合部を設けてもよい。この例では、ベース側リブ１１３の内側面１１３ｉｎにクサビ状の突起１１４を形成し、一方、意匠側リブ１０３の外側面１０３ｏｕｔに、両板１００，１１０のリブ１０３，１１３が嵌め合わされたときに突起１１４と係合する窪み１０４を形成する。この場合、係合部は、各リブ１０３，１１３の当接面１０３ｏｕｔ，１１３ｉｎに沿って連続的に設けても、部分的に設けてもどちらでもよい。
【００３１】
また、図１０に示すように、意匠板１２０の意匠側リブ１２３を、ベース板１３０のベース側リブ１３３の外側面１３３ｏｕｔと内側面１３３ｉｎとに密接するように第１板枠状リブ１２３ａと第２板枠状リブ１２３ｂとからなる２枚枠構成にしてもよい。この例では、意匠側リブ１２３（１２３ａ，１２３ｂ）でベース側リブ１３３を挟み込むようにしているため、両板１２０，１３０の接合が確実となる。
尚、ベース板側を２枚枠構造にしてもよく、また、意匠板とベース板の両方を２枚枠構造にして嵌め合わせてもよい。
【００３２】
次に、上記各実施形態の変形例として、壁パネルの設置施工を容易にする構成について説明する。
上述した各実施形態の壁パネルを床等に設置する場合、その床面の精度が悪い状況においては、壁パネルが左右に傾いてしまうことがある。そこで、図１１に示すように、ベース板１５０の設置面側のベース側リブ１５３に、左右に１本ずつネジＢ１，Ｂ２を上下方向に螺合して設けておき、ベース板１５０を床面に設置したときに、左右に傾くようであれば、このネジＢ１，Ｂ２を回しベース側リブ１５３の下面からネジ先端を突出させて、床面からの距離を左右それぞれ調節することによりベース板１５０を垂直に設置することができる。また、ベース板１５０全体の高さをも調整することができる。
この場合、意匠板１４０の意匠側リブ１４３には、ネジＢ１，Ｂ２をよけるＵ字状の切り欠き１４５ａ，１４５ｂを形成しておく。
従って、この例によれば、床面の精度に関わらず、簡単に精度良く壁パネルを設置することができる。
【００３３】
以上、本実施形態の浴室用の壁パネルについて説明したが、本発明は上記実施形態に限定されるものではなく、本発明の目的を逸脱しない限りにおいて種々の変更が可能である。
【００３４】
例えば、本発明の壁パネルは、浴室用に限らず種々の室内壁に使用することができる。また、意匠側リブやベース側リブの形状においても、必ずしも連続した矩形枠形状でなくてもよく、途中で切断部が設けられた断続的な枠形状であってもよい。
また、第３実施形態のように、板枠状リブで囲まれる領域を格子状リブで分割した壁パネルにおいては、その分割数は任意に設定できるものである。
更に、意匠板とベース板との間に形成される空間に、適宜、桟を設けて強度を高めたものであってもよい。
【図面の簡単な説明】
【００３５】
【図１】第１実施形態にかかる壁パネルの全体斜視図である。
【図２】第１実施形態にかかる壁パネルの分解斜視図である。
【図３】第１実施形態にかかる壁パネルの横断面図である。
【図４】第１実施形態にかかる壁パネルにおける湯水混合栓取付部の横断面図である。
【図５】第１実施形態にかかる壁パネルの接続部分の横断面図である。
【図６】第２実施形態にかかる壁パネルの分解斜視図である。
【図７】第２実施形態にかかる壁パネルの横断面図である。
【図８】第３実施形態にかかる壁パネルの分解斜視図である。
【図９】変形例にかかる壁パネルの横断面図である。
【図１０】変形例にかかる壁パネルの横断面図である。
【図１１】変形例にかかる意匠板、ベース板の設置部を表す部分斜視図である。
【符号の説明】
【００３６】
１０，４０，７０…壁パネル、
２０，５０，８０，１００，１２０，１４０…意匠板、
３０，６０，９０，１１０，１３０，１５０…ベース板、
２３，５３，８３，１０３，１２３，１４３…意匠側リブ、
３３，６３，９３，１１３，１３３，１５３…ベース側リブ、
２５，３５，８５，９５…切り欠き、
Ｂ１，Ｂ２…ネジ。
【図１】
2007262694.tif 000003
【図２】
2007262694.tif 000004
【図３】
2007262694.tif 000005
【図４】
2007262694.tif 000006
【図５】
2007262694.tif 000007
【図６】
2007262694.tif 000008
【図７】
2007262694.tif 000009
【図８】
2007262694.tif 000010
【図９】
2007262694.tif 000011
【図１０】
2007262694.tif 000012
【図１１】
2007262694.tif 000013